(57)【特許請求の範囲】
【請求項１】
金型に溶融した樹脂を射出した後、金型中の成形品の内部に加圧ガスを導入して保圧を行う中空射出成形に用いられる加圧ガス供給装置であって、高圧ガスを減圧して所要の圧力の加圧ガスとする加圧ガス圧力設定ラインが複数列並列に設けられ、各圧力設定ラインは、ラインごとの圧力値を設定する減圧弁を有し、射出成形機に通じる充圧ラインと順次接続されるようになされており、
第１の圧力設定ラインが充圧ラインに所定時間接続された後、第２の圧力設定ラインが充圧ラインに所定時間接続されることで、第１の加圧ガス圧力および保圧時間と第２の加圧ガス圧力および保圧時間とを有する圧力パターンによって、金型中の成形品内の加圧ガスの圧力が設定されることを特徴とする中空射出成形における加圧ガス供給装置。
【請求項２】
上記加圧ガス圧力設定ラインを有する加圧ガス供給部と、ガスを所定の高圧まで加圧する加圧部とよりなり、加圧部は、１段目および２段目のガス増圧用プランジャーポンプと、各ポンプに設けられて高圧のガスを蓄える第１および第２タンクとを備えている請求項１の中空射出成形における加圧ガス供給装置。
【請求項３】
加圧ガス圧力設定ラインの一端は、２段目の窒素ガス増圧用プランジャーポンプに接続され、他端には、充圧ラインに加えて、エア作動弁および流量調節弁を備え加圧ガスを減圧する減圧ラインと、加圧ガスを排出する排出ラインとが接続されている請求項２の中空射出成形における加圧ガス供給装置。
【請求項４】
各圧力設定ラインは、それぞれ、減圧弁、デジタル圧力計およびエア作動弁をこの順に備えている請求項１の中空射出成形における加圧ガス供給装置。
【請求項５】
加圧ガス供給部は、射出成形機が複数ある場合、複数設けられている請求項１から４までのいずれかの中空射出成形における加圧ガス供給装置。
【発明の詳細な説明】
【０００１】
【産業上の利用分野】
この発明は、中空射出成形における加圧ガス供給装置に関する。
【０００２】
【従来の技術】
金型に溶融した樹脂を射出した後、金型中の成形品の内部に加圧ガスを導入して保圧を行う中空射出成形は、従来より知られている（ＵＳＰ４１０６１７参照）。この中空射出成形を行う装置は、図３に示すように、上下金型(31)(32)内に溶融した樹脂(33)を射出するインジェクションノズル(34)と、加圧ガス(39)をインジェクションノズル(34)内に設けられた加圧ガス通路(35)に導入するガス導入管(36)と、インジェクションノズル(34)内に上下動自在に設けられかつ加圧ガス通路(35)の入口(35a) を開閉するエア作動弁(37)と、それぞれバルブ(42)(43)を有する２本のエア作動弁開閉用エア通路(40)(41)とを備えており、金型(31)(32)が樹脂により部分的に満たされたときに、エア作動弁(37)を開けて金型(31)(32)中の成形品(38)の内部に加圧ガス(39)を導入し、保圧を行うものである。
【０００３】
上記従来の中空射出成形装置において、加圧ガスの圧力は、図示省略された加圧ガス供給装置の加圧ガス圧力設定ラインに設けられた減圧弁により設定されている。
【０００４】
【発明が解決しようとする課題】
上記従来の中空射出成形装置では、成形品の形状が複雑になると、成形品の表面に凹みが生じる等の不良が多くなるという問題があった。
【０００５】
この発明の目的は、成形品の不良を少なくすることができる中空射出成形における加圧ガス供給装置を提供することにある。
【０００６】
【課題を解決するための手段】
この発明による中空射出成形における加圧ガス供給装置は、金型に溶融した樹脂を射出した後、金型中の成形品の内部に加圧ガスを導入して保圧を行う中空射出成形に用いられる加圧ガス供給装置であって、高圧ガスを減圧して所要の圧力の加圧ガスとする加圧ガス圧力設定ラインが複数列並列に設けられ、各圧力設定ラインは、ラインごとの圧力値を設定する減圧弁を有し、射出成形機に通じる充圧ラインと順次接続されるようになされており、第１の圧力設定ラインが充圧ラインに所定時間接続された後、第２の圧力設定ラインが充圧ラインに所定時間接続されることで、第１の加圧ガス圧力および保圧時間と第２の加圧ガス圧力および保圧時間とを有する圧力パターンによって、金型中の成形品内の加圧ガスの圧力が設定されることを特徴とするものである。
【０００７】
中空射出成形における加圧ガス供給装置は、上記加圧ガス圧力設定ラインを有する加圧ガス供給部と、ガスを所定の高圧まで加圧する加圧部とよりなり、加圧部は、１段目および２段目のガス増圧用プランジャーポンプと、各ポンプに設けられて高圧のガスを蓄える第１および第２タンクとを備えていることが好ましい。
【０００８】
また、加圧ガス圧力設定ラインの一端は、２段目の窒素ガス増圧用プランジャーポンプに接続され、他端には、充圧ラインに加えて、エア作動弁および流量調節弁を備え加圧ガスを減圧する減圧ラインと、加圧ガスを排出する排出ラインとが接続されていることがより好ましい。
【０００９】
各圧力設定ラインは、それぞれ、減圧弁、デジタル圧力計およびエア作動弁をこの順に備えていることがある。
【００１０】
また、加圧ガス供給部は、射出成形機が複数ある場合、複数設けられていることがある。
【００１１】
【作用】
この発明による中空射出成形における加圧ガス供給装置は、高圧ガスを減圧して所要の圧力の加圧ガスとする加圧ガス圧力設定ラインが複数列並列に設けられ、各圧力設定ラインは、ラインごとの圧力値を設定する減圧弁を有し、射出成形機に通じる充圧ラインと順次接続されるようになされており、第１の圧力設定ラインが充圧ラインに所定時間接続された後、第２の圧力設定ラインが充圧ラインに所定時間接続されることで、第１の加圧ガス圧力および保圧時間と第２の加圧ガス圧力および保圧時間とを有する圧力パターンによって、金型中の成形品内の加圧ガスの圧力が設定されるものであるから、各圧力設定ラインの加圧ガス圧力および保圧時間を成形品ごとに任意に設定することができる。
【００１２】
【実施例】
この発明の実施例を、以下図面を参照して説明する。
【００１３】
図１は、中空射出成形における加圧ガス供給装置のフロー図であり、加圧ガス供給装置は、窒素ガス発生機(1) と、窒素ガスを所定の高圧まで加圧する加圧部(2) と、金型中の成形品の内部に加圧ガスを供給する加圧ガス供給部(3) とよりなる。
【００１４】
加圧部(2) は、１段目および２段目の窒素ガス増圧用プランジャーポンプ(4)(5)と、各ポンプ(4)(5)に設けられて高圧の窒素ガスを蓄える第１および第２タンク(6)(7)とを備えている。各プランジャーポンプ(4)(5)の流量は、２Ｎｍ３  ／Ｈとされ、第１タンク(6) の容量は１リットル、第２タンク(7) の容量は２リットルとされている。
【００１５】
加圧ガス供給部(3) には、高圧の窒素ガスを金型中の成形品の内部に導入される加圧ガスに要求される圧力まで減圧する加圧ガス圧力設定ライン(11)(12)(13)が、３列並列に設けられている。加圧ガス圧力設定ライン(11)(12)(13)の一端は、２段目の窒素ガス増圧用プランジャーポンプ(5) に接続され、他端には、射出成形機のインジェクションノズルに連通する充圧ライン(23)と、加圧ガスを減圧する減圧ライン(25)と、加圧ガスを排出する排出ライン(28)とが接続されている。加圧ガス供給部(3) は、射出成形機が複数ある場合には、複数設けられる。
【００１６】
各圧力設定ライン(11)(12)(13)は、それぞれ、減圧弁(14)(15)(16)、デジタル圧力計(17)(18)(19)およびエア作動弁(20)(21)(22)をこの順に備えている。充圧ライン(23)は、デジタル圧力計(24)を備えている。減圧ライン(25)は、エア作動弁(26)および流量調節弁(27)を備えている。排出ライン(28)は、エア作動弁(29)を備えている。
【００１７】
窒素ガス発生機により発生された８〜９Ｋ（ｋｇ／ｃｍ２  ）の窒素ガスは、２段のポンプ(4)(5)によって、数百Ｋまで増圧されて、加圧ガス供給部(3) に送られる。加圧ガス供給部(3) の各圧力設定ライン(11)(12)(13)の圧力値は、例えば、第１列目の圧力設定ライン(11)が高、第２列目の圧力設定ライン(12)が中、第３列目の圧力設定ライン(13)が低とされ、エア作動弁(20)(21)(22)を開閉させることにより、この順に順次充圧ライン(23)と接続されていく。この場合の金型中の成形品内の加圧ガスの圧力の時間変化（圧力パターン）を図２に示す。金型中の成形品内の加圧ガスの圧力は、第１列目の圧力設定ライン(11)の圧力値に達し、この圧力が一定時間（ｔ１  からｔ２  までの数秒間）保持される。ここで、第２列目の圧力設定ライン(12)に切り換えられると、成形品内の加圧ガスの圧力は成形品の膨張に伴って第２列目の圧力設定ライン(12)の圧力まで減少し、その後第２列目の圧力設定ライン(12)の圧力が一定時間（ｔ３  からｔ４  までの数秒間）保持される。ここで、第３列目の圧力設定ライン(13)に切り換えられると、成形品内の加圧ガスの圧力は第３列目の圧力設定ライン(13)の圧力まで減少し、その後第３列目の圧力設定ライン(13)の圧力が一定時間（ｔ５  からｔ６  までの数秒間）保持される。このような圧力パターンは、成形品の形状に応じて、種々試験されて、加圧ガスの圧力および保圧時間の最適条件が見出される。
【００１８】
なお、上記実施例では、加圧ガス圧力設定ラインが３列設けられているが、加圧ガス圧力設定ラインは、２列以上であれば何列でもよい。圧力パターンを変更するための構成は、上記実施例以外にもあるが、上記のように圧力設定ライン(11)(12)(13)を複数列並列に設ける場合では、加圧部(2) の仕様を変更する必要がなく、簡単な構成で圧力パターンを変更することができるという利点を有している。
【００１９】
【発明の効果】
この発明の中空射出成形における加圧ガス供給装置によると、各圧力設定ラインの加圧ガス圧力および保圧時間を成形品ごとに任意に設定することができるので、これにより、成形品の形状に応じた加圧ガスの圧力パターンの最適条件を見出だして、成形品の不良を少なくすることができる。
【図面の簡単な説明】
【図１】この発明による中空射出成形における加圧ガス供給装置を概略的に示すフロー図である。
【図２】この加圧ガス供給装置により得られる圧力パターンの一例を示すグラフである。
【図３】従来の中空射出成形装置の１例を示す断面図である。
【符号の説明】
(2)           加圧部
(3)           加圧ガス供給部
(4)(5)        窒素ガス増圧用プランジャーポンプ
(6)(7)        タンク
(11)(12)(13)  圧力設定ライン
(14)(15)(16)  減圧弁
(17)(18)(19)  デジタル圧力計
(20)(21)(22)  エア作動弁
(23)          充圧ライン
(25)          減圧ライン
(26)          エア作動弁
(27)          流量調節弁
(28)          排出ライン
【図１】
0003586752.tif 000002
【図２】
0003586752.tif 000003
【図３】
0003586752.tif 000004